(57)【要約】【課題】  建物に固定された吊りボルトに室内機を設置する据付け作業を容易に行えるようにする。【解決手段】  天井裏などに固定した吊りボルト４に、遠心送風機２、熱交換器３を収納した筐体１を筐体１側面に設けた吊り金具５を結合して取り付けるために、吊り金具５下面を支える下座板１１、下座板１１中央部に装着され吊りボルト４と嵌まりあうナット１２、吊り金具５上面を押さえつける上座板１３、下座板１１と上座板１３の各端部を連結する連結ボルト１４から構成し、ナット１２及び連結ボルト１４は下座板１１に対して上下に固定で且つ回転自在に装着され、上座板１３は中央部に吊りボルトを通す穴１３ａを有し、連結部ボルト１４のネジ部は上座板１３にねじ込まれ、ナット１２の掴み部及び連結ボルト１４の頭部が下座板１１下面に位置するようにする。【選択図】        図１
2006200769.tif 000002
【特許請求の範囲】
【請求項１】
送風機と熱交換器を収納した筐体と、建物に固定された吊りボルトに前記筐体を取り付けるために前記筐体の側面から張り出して設けられた吊り金具とを有する空気調和機の室内機において、前記吊り金具は、該吊り金具に形成された前記吊りボルトが係合される切欠き溝と、前記吊り金具の下面を支える下座板と、該下座板の中央部に形成した穴に装着され前記吊りボルトと嵌まりあうナットと、前記吊り金具の上面を押さえつける上座板と、前記下座板と前記上座板の各端部で両者を連結する各連結部材とから構成され、前記ナットは前記下座板に対して上下位置が固定で且つ回転自在に装着されており、前記上座板は中央部に前記吊りボルトを通す穴を有し、前記連結部材はボルトからなり該ボルトの頭部は前記下座板に対して上下位置が固定で且つ回転自在に前記下座板に装着され該ボルトのネジ部は前記上座板にねじ込まれており、前記ナットの掴み部及び前記連結ボルトの頭部が前記下座板の下面側にあることを特徴とする空気調和機の室内機。
【請求項２】
送風機と熱交換器を収納した筐体と、建物に固定された吊りボルトに前記筐体を取り付けるために前記筐体の側面から張り出して設けられた吊り金具とを有する空気調和機の室内機において、前記吊り金具は、該吊り金具に形成された前記吊りボルトが係合される切欠き溝と、前記吊り金具の下面を支える下座板と、該下座板の中央部に形成した穴に装着され前記吊りボルトと嵌まりあうナットと、前記吊り金具の上面を押さえつける上座板と、前記下座板と前記上座板の各端部で両者を連結する各連結部材とから構成し、前記ナットは前記下座板に対して上下位置が固定で且つ回転自在に装着されており、前記連結部材の一方はボルトからなり該ボルト頭部は前記下座板に対して上下位置が固定で且つ回転自在に前記下座板に装着され該一方のボルトのネジ部は前記上座板にねじ込まれており、前記連結部材の他方は前記下座板に下からねじ込まれたボルトと該下座板から上方に突き出す該ボルトのネジ部先端に固着した止板とから構成し、前記ナットの掴み部は前記下座板の下面側に位置し、前記上座板には前記吊りボルトとの干渉を避ける切欠きと前記止板付きボルトのネジ部との干渉を避ける別の切欠きを設けたことを特徴とする空気調和機の室内機。
【請求項３】
送風機と熱交換器を収納した筐体と、建物に固定された吊りボルトに前記筐体を取り付けるために前記筐体の側面から張り出して設けられた吊り金具とを有する空気調和機の室内機において、前記吊り金具は、該吊り金具に形成された前記吊りボルトが係合される切欠き溝と、前記吊り金具の下面を支える下座板と、該下座板の中央部に形成した穴に装着され前記吊りボルトと嵌まりあうナットと、前記吊り金具の上面を押さえつける上座板と、前記下座板と前記上座板の各端部で両者を連結する各連結部材とから構成し、前記ナットは前記下座板に対して上下位置が固定で且つ回転自在に装着されており、前記連結部材の一方は前記下座板および前記上座板に形成した各穴を貫通する軸と前記上座板上で該軸に嵌められた圧縮バネと該軸の両端に固着した止板から構成し、前記連結部材の他方は前記下座板に形成した穴を貫通する軸と前記下座板下で該軸に嵌められた圧縮バネと該軸の両端に固着した止板から構成し、前記上座板には前記吊りボルトとの干渉を避ける切欠きと他方の連結部材の軸との干渉を避ける別の切欠きを設けたことを特徴とする空気調和機の室内機。
【請求項４】
前記ナットを装着するように前記下座板に設けた穴を該下座板の一端から他端の方向に延びる長穴とし、かつ前記吊りボルトを通すように前記上座板に設けた穴を前記下座板の長穴に対応する長穴としたことを特徴とする請求項１に記載の空気調和機の室内機。
【請求項５】
前記ナットを装着するように前記下座板に設けた穴を該下座板の一端から他端の方向に延びる長穴とし、かつ前記上座板に前記吊りボルトとの干渉を避けるために設けた切欠きを前記下座板の長穴に対応して延ばしたことを特徴とする請求項２又は３に記載の空気調和機の室内機。
【発明の詳細な説明】
【技術分野】
【０００１】
本発明は、空気調和機の室内機にかかり、例えば、建物の天井裏に吊り下げられた吊りボルトに室内機を取付ける作業を容易にする技術に関する。
【背景技術】
【０００２】
ビルのような建物に空気調和機を据付け施工する場合、空気調和機の室外機は建物の屋外に設置し、室外機と対をなす室内機は建物の室内に設置する。室内機が通常の天井埋め込み型である場合、室内機は天井裏の建造部材に固定された吊りボルトに室内機の吊り金具を結合して設置される。
【０００３】
従来の空気調和室内機の据付け施工を説明する。ここでは、従来技術を示す図１７〜１９を用いるほか、本発明にかかる図１、８、９を参考に引用する。室内機は、図１に示すように、遠心送風機２、熱交換器３などを収納する筐体１、筐体１下面に取り付けた化粧パネル８から構成されている。据付け施工時には、先ず筐体１を天井に設けた四角形の開口９ａから挿入し、筐体１側面に設けた吊り金具５を建物側の吊りボルト４に結合し、その後化粧パネルを筐体１の下面にネジで取り付ける。吊りボルト４と筐体１の吊り金具５を結合するために、従来からナットおよび座金が一般的に用いられている。通常、吊りボルト４の４本に筐体１の吊り金具５の４個を結合する。
【０００４】
図１７により吊りボルト４と筐体１の吊り金具５を結合する従来の作業手順を説明する。筐体１を天井裏に挿入する前に、天井裏の吊りボルト４に上ナット２６ａ、上座金２７ａ、下座金２７ｂ、下ナット２６ｂを取り付ける。このとき点線で図示する上座金２７ａと下座金２７ｂ間に適当な間隔を設け、そして上座金２７ａと下座金２７ｂは所定の位置にセットする。次に筐体１を天井の開口９ａを通して持ち上げ、筐体１の吊り金具５を下座金２７ｂに乗せ、吊りボルト４に吊り金具５に設けた切欠き溝穴を係合させる。そして上面ナット２６ａ、座金２７ａを締め付けることにより筐体１を吊りボルト４に固定する。この場合、上面ナット２６ａを締め付け作業では、天井穴９ａと筐体１との間に手を入れ、吊り金具５の上方にある上面ナット２６ａを回転させて下ろす必要があり、わずらわしい作業であった。この締め付け作業の後に化粧パネル８を筐体１の下面にネジ止めして、筐体１の下面と化粧パネル８の上面が密着するように取り付ける。かくして室内機が天井に設置される。
【０００５】
もし、図８に示すように、化粧パネル８と天井９間に隙間Ｓ１が生じると、天井裏と室内間で空気が流通して空調の状態を悪化させる。また図９に示すように、筐体１と化粧パネル８間に隙間Ｓ２が生じると、化粧パネル８と筐体１との間に形成される吸込み口、吹出し口で空気漏れが発生し、室内への風量が減少したり、露付きなどの不具合が発生する。
【０００６】
近年の化粧パネル８は吊りボルト４の下方に当たる部位が部分的に開閉する構造となっているため、隙間Ｓ１又はＳ２が生じた場合は、化粧パネル８の開閉部を開き、吊り金具５の高さ調整を行う。例えば、化粧パネル８の外周面と天井面９の間に隙間Ｓ１が生じた場合は、まず図１８に示すように吊り金具５上側の上ナット２６ａを隙間Ｓ１以上の間隔で上方に移動させる。次に吊り金具５下側の下ナット２６ｂを化粧パネル８の外周面と天井面９の間の隙間Ｓ１がなくなるまで上方に移動させ、最後に上ナット２６ａを下方に移動させ、これにより吊り金具５を正しい位置に固定する。通常、このような作業を吊りボルト４の４箇所で行う必要がある。特に、上ナット２６ａを移動させる作業は目視ができず、狭い空間に手を入れての作業のため非常に煩雑な作業となるという問題があった。また、筐体１と化粧パネル８間に隙間Ｓ２が生じると、下ナット２６ｂを緩めて吊り金具５を下方に移動させ、それからＳ２がなくなるように化粧パネル８を筐体１にネジ締めする。最後に上ナット２６ａを下方に移動させて吊り金具５を正常な位置に固定する。この場合も上ナット２６ａを移動させる作業は狭い空間に手を入れて行う煩わしい作業が必要であった。
【０００７】
上記の問題を解決するべく、狭い空間に手を入れての作業することなく、建物側の吊りボルトに室内機の吊り金具を結合させる吊り下げ装置が提案されている。この装置は、吊り金具に吊りボルトが貫通する円筒を設け、その円筒内部に吊りボルトに食い込む爪、爪を押し込むばね、及び爪とばねを収納する枠より構成されるストッパ機構を取り付けたもので、吊り金具を上方向にのみ移動させることができる。（例えば、特許文献１参照）
この吊り下げ装置は、空気調和機の据付時に室内機の化粧パネルと天井面間に隙間が発生した場合に、化粧パネルを外すことなく室内機の吊り金具の上方修正を容易にできる利点を有するが、筐体と化粧パネル間に隙間が発生した場合には下方修正ができない。また例えばメンテナンス時に室内機の取り外しが必要になった場合は、吊り下げ装置を取り外すことができないために、それに対処できないという問題があった。
【０００８】
【特許文献１】特開平９−６０９６５号公報（第２頁、図２）
【発明の開示】
【発明が解決しようとする課題】
【０００９】
上記のように、一従来技術として、建物側の吊りボルトに室内機の筐体に設けた吊り金具を取り付けるためにナットおよび座金を用いる方法では、特に上ナットを移動させる作業は目視ができず、狭い空間に手を入れての作業のため非常に煩雑な作業となるという問題があった。
【００１０】
また別の従来技術として、吊り金具に吊りボルトに食い込む爪等からなるストッパー機構を有する吊り下げ装置によれば、この装置が吊りボルトに対して上方にのみ移動可能であるため、吊り金具を下方調整する、あるいは室内機の取り外しが必要になった場合は、それに対処できないという問題があった。
【００１１】
本発明の課題は、建物に固定された吊りボルトに室内機を取り付ける据付け作業を、煩わしい手さぐり作業をなくして容易に行えるようにすることにある。
【課題を解決するための手段】
【００１２】
上記課題を解決するために、本発明の第１の空気調和機の室内機は、送風機と熱交換器を収納した筐体と、建物に固定された吊りボルトに前記筐体を取り付けるために前記筐体の側面から張り出して設けられた吊り金具とを有する空気調和機の室内機において、前記吊り金具は、該吊り金具に形成された前記吊りボルトが係合される切欠き溝と、吊り金具の下面を支える下座板と、該下座板の中央部に形成した穴に装着され吊りボルトと嵌まりあうナットと、吊り金具の上面を押さえつける上座板と、下座板と上座板の各端部で両者を連結する各連結部材とから構成し、ナットは下座板に対して上下位置が固定で且つ回転自在に装着されており、上座板１３は中央部に吊りボルトを通す穴を有し、連結部材はボルトからなり該ボルトの頭部は下座板に対して上下位置が固定で且つ回転自在に下座板に装着され、該ボルトのネジ部は上座板にねじ込まれており、ナットの掴み部及び連結ボルトの頭部が下座板の下面側にあることを特徴とする。
【００１３】
上記第１の吊り金具装置によれば、先ず室内機を例えば天井に埋め込むために設けた天井穴から、天井裏の吊りボルトの所定高さに吊り金具装置をセットし（装置のセット工程）、次に天井穴から室内機の筐体を持ち上げ、筐体側面の吊り金具を吊りボルトに係合させて状態で吊り金具を下座板に乗せ（筐体の搭載工程）、それから両連結ボルトを下方から回転させて上座板を下ろして下座板と上座板間に吊り金具を挟んで固定する（締結工程）。吊りボルトに対する吊り金具の高さを修正する場合は下座板に装着したナットを下方から回転させて吊り金具装置と筐体を一体にして移動させる（修正作業）。上記のように筐体を吊りボルトに係合させ下座板に乗せた後は、連結ボルト及ナットを下方から操作することができ、室内機の据付作業を容易に行うことができる。
【００１４】
また、本発明の第２の吊り金具装置は、上記第１の吊り金具装置と同様に、吊り金具は、吊り金具に形成された前記吊りボルトが係合される切欠き溝と、下座板、下座板に装着されたナット、上座板、各連結部材から構成し、ナットは下座板に対して上下位置が固定で且つ回転自在に装着されており、連結部材の一方はボルトからなり該ボルト頭部は下座板に対して上下位置が固定で且つ回転自在に下座板に装着され該一方のボルトのネジ部は上座板にねじ込まれており、連結部材の他方は下座板に下からねじ込まれたボルトと該下座板から上方に突き出す該ボルトのネジ部先端に固着した止板とから構成し、ナットの掴み部は下座板の下面側に位置し、上座板には吊りボルトとの干渉を避ける切欠きと止板付きボルトのネジ部との干渉を避ける別の切欠きを設けたことを特徴とする。
【００１５】
第２の吊り金具装置の操作手順は、大筋では第１の吊り金具装置と同様、装置のセット→筐体の搭載→締結の各工程を通る。詳しくは第２の実施の形態の項で後述するが、第１の吊り金具装置と特に異なる点は、上座板を一方の連結部材を中心に回るように構成し、筐体の吊り金具を下座板に乗せるときに上座板を下座板の上からはずした位置に置くようにしたことである。これにより筐体の搭載がより簡単になる。締結の各工程及び修正作業における吊り金具装置の操作は第１の吊り金具装置と同じで、ナットを下方から回転させる。
【００１６】
本発明の第３の吊り金具装置は、上記第１の吊り金具装置と同様に、前記吊り金具は、吊り金具に形成された吊りボルトが係合される切欠き溝と、下座板と、下座板に装着されたナットと、上座板と、各連結部材とから構成し、ナットは下座板に対して上下位置が固定で且つ回転自在に装着されており、連結部材の一方は下座板および上座板に形成した各穴を貫通する軸と上座板上で該軸に嵌められた圧縮バネと該軸の両端に固着した止板から構成し、連結部材の他方は下座板に形成した穴を貫通する軸と下座板下で該軸に嵌められた圧縮バネと該軸の両端に固着した止板から構成し、上座板には吊りボルトとの干渉を避ける切欠きと他方の連結部材の軸との干渉を避ける別の切欠きを設けたことを特徴とする。
【００１７】
第３の吊り金具装置の操作手順は、大筋では第１の吊り金具装置と同様、装置のセット→筐体の搭載→締結の各工程を経る。詳しくは第３の実施の形態の項で後述するが、第１の吊り金具装置と特に異なる点は、上座板を一方の連結部材を中心に回るように構成し、筐体の吊り金具を下座板に乗せるときに上座板を下座板の上からはずした位置に置くようにしたこと、連結部材をばね付きピン構造にして単に押す又は引いて操作するようにしたことである。上座板を下座板の上からはずことにより筐体の搭載がより簡単になる。またこの連結部材でねじることなく押す又は引くのみであるので締結工程における作業を容易に行うことができる。なお修正作業における吊り金具装置の操作は第１の吊り金具装置と同じで、ナットを下から回す。
【００１８】
また本発明の第４の吊り金具装置は、上記第１の吊り金具装置において、ナットを装着するように下座板に設けた穴を該下座板の一端から他端の方向に延びる長穴とし、かつ吊りボルトを通すように上座板に設けた穴を下座板の長穴に対応する長穴としたものである。これにより建物側の吊りボルト４と室内機の筐体に設けた金具の位置のずれを容易に修正できる。
【００１９】
また本発明の第５の吊り金具装置は、上記第１または第２の吊り金具装置において、ナットを装着するように下座板に設けた穴を該下座板の一端から他端の方向に延びる長穴とし、かつ前記吊りボルトとの干渉を避けるために上座板に設けた切欠きを下座板の長穴に対応して延ばしたものである。これにより建物側の吊りボルト４と室内機の筐体に設けた金具の位置のずれを容易に修正できる。
【発明の効果】
【００２０】
以上述べたように本発明によれば、室内機の筐体の吊り金具を屋根裏に吊るした吊りボルトに係合させて締結する際に、上座板を下座板に押し下げる連結部材を吊り金具の下方から目視して操作できるので、空気調和室内機の据付け作業を容易に行うことができる。
【発明を実施するための最良の形態】
【００２１】
以下、本発明を適用してなる空気調和機の室内機の各実施の形態について図面を参照して説明する。ここでは、室内機は天井埋め込み型して説明する。
（第１の実施形態）
まず、第１の実施形態の吊り金具装置について図１〜図６を参照して説明する。図１は第１の実施形態の吊り金具装置により室内機を建物側に設けた吊りボルトに取り付けた状態を示す図、図２は図１に示す吊り金具装置の上面図、図３は第１の実施形態の吊り金具装置の構成部品であるナットの詳細図、図４は第１の実施形態の吊り金具装置の構成部品である連結ボルトの詳細図、図５〜７は吊りボルトに室内機の吊り金具を取り付ける作業工程を説明する図である。
【００２２】
室内機は、図１に示すように、遠心送風機２、熱交換器３を収納する筐体１と、筐体１下面に密着するようねじ止めされる化粧パネル８から構成されている。筐体１は横断面が８角形で、８つの側面の一つおきに該側面から横に張り出す吊り金具５を設けている。化粧パネル８は、室内空間と室内機内部とを連通させる吸込み口及び吐出し口を有しており、中央部の吸込みグリル１０を通じて室内機に室内の空気が流入し、吸込みグリル１０の周辺から空調した空気が流出する。この室内機は、天井９裏の建築部材に固定して吊り下げられた吊りボルト４に筐体１の吊り金具５の穴を係合させ、その係合箇所を吊り金具装置６Ａにより締結することにより設置されている。
【００２３】
吊り金具装置６Ａは、図１でＡ矢視図に示すように、筐体１側面に設けた吊り金具５を下面から支える矩形状の下座板１１と、下座板１１の中心部に位置し吊りボルト４と螺合するナット１２と、吊り金具５の上面を押さえつける部材で中央部に吊りボルト４を通す穴１３ａ(図２参照)を有する矩形状の上座板１３と、下座板１１と上座板１３をその長手方向両端部で連結する連結部材としての２本の連結ボルト１４とから構成されている。ナット１２及び各連結ボルト１４は下座板１１に対して上下移動することなく、回転自在に結合されている。ナット１２は、図３に示すように、上端部から横に張り出すフランジ１２ａを設けその下に環状溝１２ｂを形成しており、フランジ１２ａ及び環状溝１２ｂは下座板１１中心部に形成された段付き穴１１ａにはまり込んでいる。連結ボルト１４は、図４に示すように、ネジ１４ａの付け根部分にフランジ１４ｃを設け、その下方にあるボルト頭部１４ｂとの間に環状溝１４ｄを形成しており、フランジ１４ａ及び環状溝１４ｄは下座板１１端部に形成された段付き穴１１ｂにはまり込んでおり、ネジ部分１４ａを上方に突出している。ネジ部分１４ａの上端部は上座板１３に設けたメスネジとはまり合う。そしてナット１２の掴み部分及びボルト頭部１４ｂは下座板１１の下面に位置している。
【００２４】
次に、吊り金具装置６Ａにより室内機を吊りボルト４に取り付ける作業について説明する。この作業の開始時には、室内機から化粧パネル８を取り外した筐体１を取り扱う。図５に示すように、まず吊り金具装置６Ａの下座板１１と上座板１３の間隔が筐体１の吊り金具５の厚さより十分広くなるように連結ボルト１４を回転して調整する。この吊り金具装置６Ａを天井９に形成した４角形の天井穴９ａを通して持ち上げ、上座板１３中央部に形成した貫通穴に吊りボルト４を通し、次に下座板１１のナット６に吊りボルト４を嵌め合わせてナット６を回転させ、下座板１１が所定の高さになるよう吊り金具装置６Ａをセットする。次に室内機の筐体１を天井穴９ａを通して運び上げ、図６に示すように下座板１１と上座板１３の間に吊り金具５を挿入し、下座板１１の上に吊り金具５を乗せる。それから吊り金具装置６Ａの連結ボルト１４を回転させることで、上座板１３を下方に移動させ、吊り金具５を下座板１１と上座板１３で挟み込み、吊りボルト４に固定する。最後に化粧パネル８を筐体１の下面に密着するよう通常４箇所ネジ止めする。このとき化粧パネル８の周縁部は天井９面に密着する必要がある。
【００２５】
上記のように下座板１１とナット１２を一体的に組み合わせ、さらに下座板１１上座板１３と連結ボルト１４で連結した吊り金具装置を適用することにより、吊りボルト４と吊り金具５を締結する作業は、連結ボルト１４をその下方から回転させるのみであり、したがって従来の上下ナット、上下座金を用いる場合のように上ナットを狭い空間で手探りで回転させるような煩雑な作業を改善できる。
【００２６】
図８は、吊り金具装置６Ａを吊りボルトに所定の高さより低い位置に誤ってセットしたために、化粧パネル８と天井９との間に隙間Ｓ１が生じた状態を示す図である。この場合、天井裏と室内間で空気が流通して空調の状態を悪化させる不具合が発生する。吊り金具装置６Ａによれば、吊り金具装置６Ａの下座板１１に装着するナット１２を室内機の上昇する方向に回転させ、化粧パネル８の周縁部を天井９に密着させる。かくして隙間Ｓ１による不具合が解消される。ところで近年の化粧パネル８は吊りボルト４の下方に当たる部位が部分的に開閉する構造となっているため、前述のように隙間Ｓ１が生じた場合は、化粧パネル８の開閉部を開き、そこからナット１２を回転させて室内機の高さ調整を行う。
【００２７】
図９は、吊り金具装置６Ａを吊りボルトに所定の高さより高い位置に誤ってセットしたために、筐体１の下面と化粧パネル８との間に隙間Ｓ２が生じた状態示す図である。隙間Ｓ２が生じると、筐体１と化粧パネル８間で形成される吸込み口、吹出し口で空気漏れが発生し、室内に送風される風量が減少したり、露付きなどの不具合が発生する。吊り金具装置６Ａによれば、吊り金具装置６Ａの下座板１１に装着するナット１２を室内機の下降する方向に回転させた後、化粧パネル８を筐体１の下面にネジで締め付けて両者を密着させる。このとき化粧パネル８の周縁部を天井９に密着している必要がある。かくして隙間Ｓ２による不具合が解消される。なお、ナット１２は、上記と同様に、化粧パネル８の開閉部を開き、そこから操作して室内機の高さ調整を行う。
【００２８】
吊り金具装置６Ａによれば、化粧パネル８を装着した後に、図８、９に見るような隙間Ｓ１、Ｓ２が生じても、下方からナット１２を操作することにより筐体１の上下移動が可能となるため、従来のような煩雑な作業を改善できる。
（第２の実施形態）
第２の実施形態の吊り金具装置６Ｂを図１０〜１３を用いて説明する。図１０は吊り金具装置６Ｂの構成と該装置を吊りボルトに取り付けた後に室内機の筐体の吊り金具を該装置上に乗せた状態を示す正面図、図１１は図１０のＡ−Ａ矢視図、図１２は吊り金具装置６Ｂにより筐体の吊り金具を締結した状態を示す図、図１３は図１２のＡ−Ａ矢視図である。
【００２９】
吊り金具装置６Ｂは、図１０に示すように、筐体１の吊り金具５を下面から支える矩形状の下座板１１と、下座板１１の中心部に位置し吊りボルト４と螺合するナット１２と、吊り金具５の上面を押さえつける上座板１６と、下座板１１と上座板１６をその長手方向一端部で連結する連結部材としての連結ボルト１４及び他端部で連結する連結部材としての連結ボルト１７とから構成されている。ナット１２及び一端の連結ボルト１４は、第１の実施形態において図３、４を用いて説明したように、下座板１１に対して上下移動することなく、回転自在に結合されている。上座板１６は、その一端部が連結ボルト１４に連結しておりそこを支点に回転自在であり、そして図１１に示すように、板中央部に吊りボルト４との干渉を避けるための切欠き１６ａを、板他端部に連結ボルト１７との干渉を避けるための切欠き１６ｂを有している。連結ボルト１７は下座板１１の下側からねじ込まれており、下座板１１から上に突出するねじの先端に板状のストッパー１７ａ（止板）を有している。なお、吊り金具５は、板状で先端部が折れ曲がって下座板１１に係合しやすいように構成され、また切欠き溝は先端部から筐体側に入る切り込みと板中部で該切り込みから両横方向に延びる溝からなり、このＴ字状切欠き溝は吊り金具と吊りボルトとの位置のずれを修正するように構成されている。
【００３０】
吊り金具装置６Ｂによれば、室内機の筐体１に設けた吊り金具５を下座板１１上に乗せた後に、図１２、１３に示すように、上座板１６を連結ボルト１４を中心にして下座板１１と重なる位置まで回転し、それから各連結ボルト１４、１７を回転させることで上座板１６を下方に移動させ、吊り金具５を下座板１１と上座板１６に挟み込む。なお連結ボルト１７はストッパー17ａにより上座板１６を押し下げる。かくして吊りボルト４に室内機を固定することができる。吊り金具装置６Ｂは、上座板１６を回転するように構成することで、上座板１６を下座板１１上方からはずした状態で室内機の吊り金具５を下座板１１上に乗せることができ、その作業が容易になるので、図１に示す第１の実施形態の吊り金具装置に比べて、上座板１６の下方移動距離を少なくすることができるため、更に作業性が向上する。
（第３の実施形態）
第３の実施形態の吊り金具装置について、図１４,１５を用いて説明する。図１４は吊り金具装置６Ｃの構成と、該装置を吊りボルトに取り付けた後に室内機の筐体の吊り金具を該装置上に乗せた状態を説明する正面図、図１６は吊り金具装置６Ｃにより筐体の吊り金具を締結した状態を示す図である。
【００３１】
吊り金具装置６Ｃは、図１４,１５に示すように、筐体１の吊り金具５を下面から支える矩形状の下座板１１と、下座板１１の中心部に位置し吊りボルト４と螺合するナット１２と、吊り金具５の上面を押さえつける上座板１８と、下座板１１と上座板１８をその長手方向一端部で連結する連結部材としての連結ピン１９及び他端部で連結する連結部材としての連結ピン２０とから構成されている。ナット１２は、第１の実施形態において図３を用いて説明したように、下座板１１に対して上下移動することなく、回転自在に結合されている。上座板１８は、その一端部が連結ピン１９を支点に回転自在であり、そして板中央部に吊りボルト４との干渉を避けるための切欠き１８ａ（図１１に示す１６ａと同形状）を、板他端部の連結ピン１７との干渉を避けるための切欠き１８ｂ（図１１に示す１６ｂと同形状）を有している。一端の連結ピン１９は、下座板１１と上座板１８の一端部に設けた各穴を貫通する軸１９aとその両端に固定された板状のストッパー１９ｂ（止板）と上座板１８上で軸１９aにはめ込まれた圧縮バネ２１とからなる。他端の連結ピン２０は、下座板１１の他端部に設けた穴を貫通する軸２０ａとその両端に固定された板状のストッパー２０ｂ（止板）と下座板１１の下で軸２０ａにはめ込まれた圧縮バネ２１とからなる。
【００３２】
上記のように構成された吊り金具装置６Ｃによれば、室内機の筐体１に設けた吊り金具５を下座板１１上に乗せた後に、図１５に示すように、上座板１８を一方の連結ピン１９を中心にして下座板１１と重なる位置まで回転し、それから他方の連結ピン２０の圧縮バネ２１を圧縮させながら連結ピン２０を押し上げ、上座板１８に設けた切り欠き１８ｂを連結ピン２０の軸２０ａにはめ込む。はめ込んだ後、連結ピン２０を押し上げた力を解放することで吊り金具５を下座板１１と上座板１８で挟み込む。かくして室内機を吊りボルト４に固定することができる。このように連結部材に圧縮バネを用いて吊り金具装置を構成することで、ボルトを回転させる動作が削減できるため更に室内機の取付け作業性が向上する。
（第４の実施形態）
図１６に第４の実施形態の吊り金具装置６Ｄを示す。この吊り金具装置６Ｄは、前述の吊り金具装置６Ｃの変型と見做すことができる。相違点を説明すると、吊り金具装置６Ｃでは下座板１１に装着したナット１２は下座板１１の中央部に位置固定されているのに対して、吊り金具装置６Ｄでは下座板の長手方向に移動可能とした点である。この移動を可能にするために、吊り金具装置６Ｃの下座板１１の中央部に設けた穴（図３に示す１１ａ）を、室内機の吊り金具５に設けられた長穴部分と同形状で、該板の長手方向に延びる長穴２２ａに変更し、それに伴い吊り金具装置６Ｃの上座板１８に形成した切欠き１８ａ（図１１に示す１６ａと同形）を長手方向に延ばした切欠き２３ａに変更した。図１６においては、このように変更した下座板は符号２２で示し、同じく変更した上座板を符号２３で示している。なお、上座板２３他端の切欠き２３ｂは吊り金具装置６Ｃの切欠き１８ａ（図１１に示す１６ａと同形）である。その他の点では吊り金具装置６Ｄは吊り金具装置６Ｃと同様に構成している。吊り金具装置６Ｄを上記のように構成したことにより、筐体１に設けられた吊り金具５と、天井裏の建築部材から吊り下げられた吊りボルト４との位置のずれを容易に修正することが可能となる。
【００３３】
上記の吊り金具装置６Ｄのように、下座板に装着したナット下座板の長手方向に移動させるという思想は、第１、第２の実施の形態の吊り金具装置にも適用できる。このために、図１のＡ矢視図、図２に示す第１実施の形態の吊り金具装置６Ａにおいては、ナット１２を装着するために下座板１１に設けた穴を該下座板１１の一端から他端への長手方向に延びる長穴とし、かつ吊りボルト４を通すように上座板１３に設けた穴を下座板１１の長穴に対応する長穴とする。また図１０,１１に示す第２の吊り金具装置６Ｂにおいては、ナット１２を装着するために下座板１１に設けた穴を該下座板１１の長手方向に延びる長穴とし、かつ吊りボルト４との干渉を避けるために上座板１６に設けた切欠き１６Ａを下座板１１の長穴に対応して延ばす。
【図面の簡単な説明】
【００３４】
【図１】本発明の第１の実施形態の室内機を建物側に設けた吊りボルトに取り付けた状態を示す図である。
【図２】図２は図１に示す吊り金具装置の上面図である。
【図３】第１の実施形態の吊り金具装置の構成部品であるナットの詳細図である。
【図４】第１の実施形態の吊り金具装置の構成部品なる連結ボルトの詳細図である。
【図５】吊りボルトに室内機の吊り金具を取り付ける工程を説明する図である。
【図６】吊りボルトに室内機の吊り金具を取り付ける工程を説明する図である。
【図７】吊りボルトに室内機の吊り金具を取り付ける工程を説明する図である。
【図８】第１の実施形態の吊り金具装置を吊りボルトに対し誤った位置にセットしたために生じた化粧パネルと天井間の隙間Ｓ１を示す図である。
【図９】第１の実施形態の吊り金具装置を吊りボルトに対し誤った位置にセットしたため生じた筐体の下面と化粧パネル間に隙間Ｓ２示す図である。
【図１０】本発明の第２の実施形態の吊り金具装置の構造を示す正面図である。
【図１１】図１０のＡ−Ａ矢視図である。
【図１２】本発明の第２の実施形態の吊り金具装置により室内機筐体の吊り金具を固定した状態を示す図である。
【図１３】図１２のＡ−Ａ矢視図である。
【図１４】本発明の第３の実施形態の吊り金具装置の構造を示す正面図である。
【図１５】本発明の第３の実施形態の吊り金具装置により室内機筐体の吊り金具を固定した状態を示す図である。
【図１６】本発明の第４の実施形態の吊り金具装置の構造を示す平面図である。
【図１７】従来技術で、ボルト、座金により吊りボルトに室内機を取り付ける手順を説明する図である。
【図１８】従来技術で、ボルト、座金により吊りボルトに取り付けた室内機の高さ位置を天井と化粧パネル間の隙間Ｓ１だけ修正する手順を説明する図である。
【図１９】従来技術で、ボルト、座金により吊りボルトに取り付けた室内機の高さ位置を筐体と化粧パネル間の隙間Ｓ２だけ修正する手順を説明する図である。
【符号の説明】
【００３５】
１  筐体
２  遠心送風機
３  熱交換器
４  吊りボルト
５  吊り金具
６Ａ、６Ｂ、６Ｃ、６Ｄ、６Ａ  吊り金具装置
８  ・・・化粧パネル
９  ・・・天井
９ａ  天井穴
１０  吸込みグリル
１１  下座板
１２  ナット
１３  上座板
１３ａ  穴
１４  連結ボルト
１６  上座板
１６ａ、１６ｂ  切欠き
１７  連結ボルト
１７ａ  ストッパー
１８  上座板
１８ａ、１８ｂ  切欠き
１９  連結ピン
１９ａ  軸
１９ｂ  ストッパー
２０  連結ピン
２０ａ  軸
２０ｂ  ストッパー
２１  圧縮バネ
２２  下座板
２２ａ  ナット装着用長穴
２３  上座板
２３ａ  長切り欠き
２３ｂ  切欠き
２６ａ  上ナット
２６ｂ  下ナット
２７ａ  上座金
２７ｂ  下座金
【図１】
2006200769.tif 000003
【図２】
2006200769.tif 000004
【図３】
2006200769.tif 000005
【図４】
2006200769.tif 000006
【図５】
2006200769.tif 000007
【図６】
2006200769.tif 000008
【図７】
2006200769.tif 000009
【図８】
2006200769.tif 000010
【図９】
2006200769.tif 000011
【図１０】
2006200769.tif 000012
【図１１】
2006200769.tif 000013
【図１２】
2006200769.tif 000014
【図１３】
2006200769.tif 000015
【図１４】
2006200769.tif 000016
【図１５】
2006200769.tif 000017
【図１６】
2006200769.tif 000018
【図１７】
2006200769.tif 000019
【図１８】
2006200769.tif 000020
【図１９】
2006200769.tif 000021